(57)【要約】【課題】外部から衝撃が加わった場合であっても、用紙収納部から用紙ロールが飛び出しにくい印刷装置を提供する。【解決手段】印刷装置１は、用紙ロールを収容可能な用紙収納部９と、用紙収納部９を開閉可能な開閉カバー１３と、開閉カバー１３の回転に連動して回転可能なウォームホイール３０と、ウォームホイール３０と直接噛み合うウォームと、ウォームの右端部に設けられた左側ロール保持部６８とを備える。開放位置にある開閉カバー１３を閉塞位置へと回転すると、ウォームホイール３０、ウォームを介して左側ロール保持部６８は右方に移動し用紙ロールを保持する。開閉カバー１３の回転は、ウォームホイール３０、ウォームにて減速される構造であるため、ウォームからウォームホイール３０を逆回転しにくい。【選択図】図３
2014162596.tif 000002
【特許請求の範囲】
【請求項１】
印刷用紙が巻回された用紙ロールを収納する用紙収納部を内部に備えた筐体と、
前記筐体に設けられた第一支持部に回転可能に支持され、前記用紙収納部を開閉可能な開閉カバーと、
前記第一支持部に支持され、前記開閉カバーの回転と連動して回転可能なウォームホイールと、
前記用紙収納部に設けられた第二支持部によって回転可能に支持され、前記ウォームホイールの回転と連動して自身の軸線方向に移動可能であって、自身のピッチ円の半径が前記ウォームホイールのピッチ円の半径よりも小さいウォームと、
前記ウォームに取り付けられ、前記軸線方向における前記用紙ロールの端部のうち少なくとも一方を保持可能なロール保持部とを備え、
前記ロール保持部は、前記開閉カバーが前記用紙収納部を閉塞する位置へと回転する場合に、前記軸線方向における前記用紙収納部の内側に向かって前記用紙ロールを保持する保持位置へと移動することを特徴とする印刷装置。
【請求項２】
前記ウォームホイールは、
歯が外周面上に螺旋状に形成され、
軸線が前記軸線方向と平行な状態で前記ウォームと直接噛み合うことを特徴とする請求項１に記載の印刷装置。
【請求項３】
前記ロール保持部は、
前記ウォームの前記軸線方向の端部から前記内側に突出する凸状であり、
前記保持位置において、前記用紙ロールの軸心部に設けた軸穴に前記軸線方向の外側から嵌合することを特徴とする請求項１又は２に記載の印刷装置。
【発明の詳細な説明】
【技術分野】
【０００１】
本発明は、用紙ロールを収容可能な印刷装置に関する。
【背景技術】
【０００２】
従来、筐体の内部に形成された用紙収納部に、用紙ロールを収納可能な可搬式の印刷装置が知られている（例えば、特許文献１参照）。特許文献１に開示の印刷装置は、用紙収納部を開閉可能な開閉カバーと、収納した用紙ロールの軸線方向の移動を規制する用紙ホルダーとを備える。用紙ホルダーには、用紙ロールの軸線方向に沿って移動可能な左右一対のガイドフェンスが設けられる。ガイドフェンスは係止爪を備える。ガイドフェンスが用紙ロールの軸線方向の両端部を外側から当接する位置にて、係止爪を用紙収納部に設けた被係止部に係止させることで、用紙ロールの軸線方向の移動は規制される。
【先行技術文献】
【特許文献】
【０００３】
【特許文献１】特開２００９−１７３３５３号公報
【発明の概要】
【発明が解決しようとする課題】
【０００４】
しかしながら、上記印刷装置では、使用者が印刷装置を持ち運んで使用する時に、印刷装置を地面に落とす場合や、固定物にぶつける場合がある。これらの場合、印刷装置に衝撃が加わり、用紙ロールは用紙ホルダーから外れ、そのまま開閉カバーを内側から開放し飛び出してしまうという問題点があった。
【０００５】
本発明は、外部から衝撃が加わった場合であっても、用紙収納部から用紙ロールが飛び出しにくい印刷装置を提供することを目的とする。
【課題を解決するための手段】
【０００６】
本発明の一態様に係る印刷装置は、印刷用紙が巻回された用紙ロールを収納する用紙収納部を内部に備えた筐体と、前記筐体に設けられた第一支持部に回転可能に支持され、前記用紙収納部を開閉可能な開閉カバーと、前記第一支持部に支持され、前記開閉カバーの回転と連動して回転可能なウォームホイールと、前記用紙収納部に設けられた第二支持部によって回転可能に支持され、前記ウォームホイールの回転と連動して自身の軸線方向に移動可能であって、自身のピッチ円の半径が前記ウォームホイールのピッチ円の半径よりも小さいウォームと、前記ウォームに取り付けられ、前記軸線方向における前記用紙ロールの端部のうち少なくとも一方を保持可能なロール保持部とを備え、前記ロール保持部は、前記開閉カバーが前記用紙収納部を閉塞する位置へと回転する場合に、前記軸線方向における前記用紙収納部の内側に向かって前記用紙ロールを保持する保持位置へと移動することを特徴とする。
【０００７】
開閉カバーが用紙収納部を閉塞する位置へと回転する場合、開閉カバーにて生じた回転駆動力はウォームホイール、ウォームの順に伝達される。これにより、ウォームは軸線方向に沿って移動し、ロール保持部は保持位置まで移動する。ウォームからウォームホイールを回転させるために必要な回転トルクは、ウォームホイールからウォームを回転させるために必要な回転トルクに、減速比を乗じた分だけ大きい。ピッチ円の半径はウォームホイールよりもウォームの方が小さいので、減速比は１よりも大きい。すなわち、ロール保持部が自ら移動するには、ウォームからウォームホイールをより大きな回転トルクで逆回転する必要がある。従って、印刷装置に衝撃が加わった場合であっても、保持位置にあるロール保持部は、移動しにくい。それ故、印刷装置に衝撃が加わり、用紙収納部の外側へと向かう荷重が用紙ロールに作用しても、用紙ロールは移動しにくく、保持位置にてロール保持部に保持される。故に、印刷装置は、外部から衝撃が加わることで用紙ロールに荷重が作用した場合であっても、用紙ロールを用紙収納部から飛び出しにくくできる。さらに、開閉カバーが用紙収納部を閉塞する位置へと回転するだけで、使用者の特別な意識を要することなく、ロール保持部は保持位置へと移動される。また、開閉カバーが用紙収納部を開放させる位置へと回転するだけで、使用者の特別な意識を要することなく、用紙ロールは着脱可能となる。従って、印刷装置は操作性を向上できる。
【０００８】
また、前記印刷装置において、前記ウォームホイールは、歯が外周面上に螺旋状に形成され、軸線が前記軸線方向と平行な状態で前記ウォームと直接噛み合ってもよい。ウォームホイールは、ウォームと他の駆動伝達部材を介さずに直接噛み合う。従って、印刷装置は省スペース化ができる。
【０００９】
また、前記印刷装置において、前記ロール保持部は、前記ウォームの前記軸線方向の端部から前記内側に突出する凸状であり、前記保持位置において、前記用紙ロールの軸心部に設けた軸穴に前記軸線方向の外側から嵌合してもよい。ロール保持部は、保持位置にて軸穴に嵌合するので、用紙ロールの半径方向の移動を制限する。従って、印刷装置は、用紙ロールを用紙収納部からさらに飛び出しにくくできる。
【図面の簡単な説明】
【００１０】
【図１】印刷装置１の外観構成を表す斜視図である。
【図２】開閉カバー１３が開放位置にある場合の印刷装置１の斜視図である。
【図３】用紙ロール８を取り外した状態の印刷装置１の斜視図である。
【図４】左側ロール保持部６８が離間位置にある場合における用紙ホルダー６、用紙ロール８、ウォームホイール３０、及び左側回転軸２７の正面図である。
【図５】左側ロール保持部６８が保持位置にある場合における用紙ホルダー６、用紙ロール８、ウォームホイール３０及び左側回転軸２７の正面図である。
【発明を実施するための形態】
【００１１】
以下、本発明の印刷装置の一実施の形態である可搬式の印刷装置１の構造について図面を参照して説明する。図１の右下側、左上側、右上側、左下側、上側、及び下側をそれぞれ、印刷装置１の右側、左側、後側、前側、上側、及び下側とする。
【００１２】
印刷装置１は、例えばパーソナルコンピュータ（以下、ＰＣという）又はスマートフォン等の外部機器（図示外）から受信した印刷データを、円筒状の用紙ロール８（図４参照）に巻回された感熱式の印刷用紙８１（図２参照）を引き出して印刷する。印刷装置１は、内部に電池（図示外）を内蔵し、電池から電力の供給を受けて駆動可能である。
【００１３】
図１〜図４を参照し、印刷装置１の構成について説明する。図１に示すように、印刷装置１は、略直方体状であり、印刷装置１の上部を形成する第一ケース３と、下部を形成する第二ケース４とを備える。第一ケース３及び第二ケース４は、それぞれ、平面視で略矩形の板状部材である。第一ケース３及び第二ケース４は、例えば樹脂材料で形成される。
【００１４】
第一ケース３の構成について説明する。第一ケース３は、プロテクタ１１と、開閉カバー１３と、排出口１２と、プラテンローラ１４（図２参照）と、固定刃１５と、サーマルヘッド７（図２参照）とを備える。プロテクタ１１は、第一ケース３の右側縁部、前側縁部、及び左側縁部に設けられる。プロテクタ１１は、印刷装置１の衝撃吸収部材であり、ゴム等によって形成される。
【００１５】
開閉カバー１３は、第一ケース３の後側を形成する平面視で略矩形の板状部材である。後述するように、開閉カバー１３は、第二ケース４の後端部に設けられる右側回転軸２６及び左側回転軸２７（図２参照）を中心に回転可能である。開閉カバー１３の構造の詳細は後述する。
【００１６】
排出口１２は第一ケース３の中央部において、左右方向を長手方向としながら形成されるスリットである。排出口１２は印刷後の印刷用紙８１を筐体２の外側に排出する。図２に示すように、プラテンローラ１４は開閉カバー１３の前端部の内側に設けられる。プラテンローラ１４は、左右方向に沿って延びる円柱状をなし、印刷済みの印刷用紙８１を排出口１２へと搬送する。
【００１７】
固定刃１５は、第一ケース３の中央部に設けられる。固定刃１５は、開閉カバー１３が閉塞位置（後述）にある場合、プラテンローラ１４と対向する。固定刃１５は、排出口１２（図１参照）から排出された印刷済みの印刷用紙８１を切断するための刃先部を備える。サーマルヘッド７は、固定刃１５の後方斜め下側にプラテンローラ１４に対して平行に設けられている。サーマルヘッド７は、印刷用紙８１に熱を加えて印刷する。図示しないが、第一ケース３において固定刃１５より前側の内部には、印刷装置１を制御する電子回路基板、及び電池等が内蔵されている。
【００１８】
図２及び図３を参照し、第二ケース４の構成について説明する。第二ケース４は、開閉部材５と、左右一対の挿通部１６，１６と、用紙収納部９とを備える。開閉部材５は、閉塞位置（後述）にある開閉カバー１３のロックを解除するための回転式のつまみであり、第二ケース４の右側壁４１に設けられている。
【００１９】
左右一対の挿通部１６，１６は、第二ケース４の前端部の両角が、筐体２の内側に向かって開口することで形成される。挿通部１６，１６は、内側の略中央部に上下方向に延びる円柱状の支柱を備える。使用者は、ストラップ（図示外）等を支柱に巻きつけながら挿通部１６，１６に挿通することで、印刷装置１を肩、首、及び腰ベルト等に架けることができる。上述のように印刷装置１は電池駆動するため、使用者は、印刷装置１を様々な場所に持ち運び使用できる。
【００２０】
図３に示すように、用紙収納部９は、筐体２の後側の内部が上方に向かって開口することで形成され、第二ケース４の右側壁４１、底壁４３、左側壁４２によって囲まれる（図３参照）。用紙収納部９は、印刷用紙８１が巻回された用紙ロール８（図４参照）を着脱可能に収納する。用紙収納部９は、右側回転軸２６と、左側回転軸２７と、ウォームホイール３０と、用紙ホルダー６（図４参照）とを備える。
【００２１】
右側回転軸２６は、第二ケース４の右側壁４１の後端部の内側に設けた円形の軸穴（図示外）によって回転可能に支持される。同様に、左側回転軸２７は、第二ケース４の左側壁４２の後端部の内側に設けた円形の軸穴（図示外）によって回転可能に支持される。右側回転軸２６及び左側回転軸２７は、互いの軸線が一致し、それぞれが左右方向に沿って用紙収納部９の内側へ延びる。
【００２２】
ウォームホイール３０は、左右方向を軸線方向とする円柱状であって、軸線方向の長さは直径よりも小さい。ウォームホイール３０は、用紙収納部９内の左側後方に配置される。ウォームホイール３０の外周面上には軸線方向に沿って螺旋状にねじ切りすることで形成される歯３０Ａが設けられる（図４参照）。ウォームホイール３０は、左側回転軸２７に互いの軸線が略一致するように一体的に成形されている。つまり、ウォームホイール３０は左側回転軸２７に固定される。これにより、ウォームホイール３０は左側回転軸２７と連動して一体的に回転できる。すなわち、ウォームホイール３０は、左側回転軸２７によって支持され、開閉カバー１３と連動して回転可能である。本実施形態におけるウォームホイール３０のピッチ円の半径Ｒ１は２３．５［ｍｍ］である。
【００２３】
用紙ホルダー６は用紙収納部９（図３参照）内の前側に配置され、用紙ロール８を回転可能に保持できる。図４に示すように、用紙ホルダー６は、右側底部６１と、左側底部６２と、右側板６３と、右側円板６４と、右側ロール保持部６５と、左側板６６と、ウォーム３１と、左側円板６７と、左側ロール保持部６８とを備える。
【００２４】
右側底部６１及び左側底部６２は、左右方向を長手方向とする板状部材であり、用紙ホルダー６の底部を形成する。右側板６３は、軸線方向を左右方向とする円形の板状部材である。右側板６３は、右側壁４１（図３参照）と対向しつつ、右側底部６１の右端部から上方に立設される。右側円板６４は、右側板６３の内側に設けられる。右側ロール保持部６５は、右側円板６４の内側面の略中央から用紙収納部９の内側に向かって突出する円柱状の突起部である。右側ロール保持部６５は、先端部が基端部よりも直径が小さくなっている。右側ロール保持部６５の基端部の直径は、用紙ロール８の軸心部を左右方向に貫通する軸孔８Ａの内径よりも僅かに小さい。右側ロール保持部６５は、基端部が軸孔８Ａに右側から嵌合することで、用紙ロール８の右端部を回転可能に保持する。
【００２５】
左側板６６は軸線方向を左右方向とする円形の板状部材である。左側板６６は左側壁４２（図３参照）と対向しつつ、左側底部６２の左端部から上方に立設される。左側板６６は、ウォームホイール３０よりも左側に配置され、中央部には貫通孔（図示外）を備える。
【００２６】
ウォーム３１は左右方向を軸線方向とする円柱状である。ウォーム３１の軸心部には貫通孔（図示外）が設けられ、外周面上には軸線方向に沿って螺旋状にねじ切りすることで形成される歯３１Ａを備える。ウォーム３１は左側板６６の貫通孔において回転可能に支持される。また、歯３１Ａはウォームホイール３０の歯３０Ａと左側板６６よりも右側で直接噛み合う。従って、ウォーム３１はウォームホイール３０の回転と連動して自身の軸線方向に移動可能である。ウォーム３１のピッチ円の半径Ｒ２は例えば１０［ｍｍ］であり、ウォームホイール３０のピッチ円の半径Ｒ１よりも小さい。従って、ウォーム３１は、ウォームホイール３０の回転と連動して自身の軸線方向に移動可能であって、且つウォームホイール３０の回転を減速させることができる。本実施形態における減速比ｉは、以下の式によって算出される。
ｉ＝Ｒ１／Ｒ２＝２３．５／１０≒２．４
【００２７】
左側円板６７は、軸線方向を左右方向とする状態で、ウォーム３１の右側端部に取り付けられる。左側円板６７はウォームホイール３０よりも右側に配置される。左側ロール保持部６８は、左側円板６７の右側面から用紙収納部９の内側に向かって突出する円柱状をなす。左側ロール保持部６８は、先端部が基端部よりも直径が小さくなっている。左側ロール保持部６８の基端部の直径は、軸孔８Ａの内径よりも僅かに小さい。左側ロール保持部６８は、基端部が軸孔８Ａに左側から嵌合することで、用紙ロール８の左端部を回転可能に保持する。左側円板６７及び左側ロール保持部６８は、ウォームホイール３０の移動に連動して軸線方向に移動可能である。従って、左側ロール保持部６８は、用紙ロール８から左方に離間する位置である離間位置と、軸孔８Ａに嵌合し用紙ロール８を保持する位置である保持位置との間を移動可能である。
【００２８】
次に、図３を参照し、開閉カバー１３の構成について詳述する。開閉カバー１３は、右側被支持部１３Ａと、左側被支持部１３Ｂと、嵌合部１３Ｃとを備える。右側被支持部１３Ａ及び左側被支持部１３Ｂは、それぞれ、開閉カバー１３の後端部の内側面から筐体２の内側に向かって突出する突起部である。右側被支持部１３Ａは内側面の右側に設けられ、左側被支持部１３Ｂは左側に設けられる。右側被支持部１３Ａ及び左側被支持部１３Ｂは、それぞれ、先端部に左右方向に延びる貫通孔（図示外）を備える。
【００２９】
右側被支持部１３Ａの貫通孔に右側回転軸２６が嵌合し、左側被支持部１３Ｂの貫通孔に左側回転軸２７が嵌合する。これにより、開閉カバー１３は、右側回転軸２６及び左側回転軸２７に固定される。すなわち、開閉カバー１３は、右側回転軸２６及び左側回転軸２７によって回転可能に支持される。これにより、開閉カバー１３は、用紙収納部９を開閉できる。以下、開閉カバー１３が用紙収納部９を開放する位置を開放位置といい、閉塞する位置を閉塞位置という。
【００３０】
嵌合部１３Ｃは、開閉カバー１３の前端部の内側略中央で、且つプラテンローラ１４の後側から第二ケース４に向かって突出する突起部である。嵌合部１３Ｃは開閉カバー１３の閉塞位置において、用紙収納部９の内部に設けた被嵌合部（図示外）と嵌合する。これにより、開閉カバー１３は閉塞位置にてロックできる。
【００３１】
上述したように、開閉カバー１３の回転に連動して、左側回転軸２７及びウォームホイール３０が回転可能である。また、ウォームホイール３０の回転に伴って、ウォームホイール３０と直接噛み合うウォーム３１は軸線方向（左右方向）に移動可能である。さらに、ウォーム３１の移動に伴って、ウォーム３１に取り付けられる左側円板６７及び左側ロール保持部６８は左右方向に移動可能である。すなわち、開閉カバー１３の回転駆動力が、ウォームホイール３０及びウォーム３１を介して左側ロール保持部６８に伝達されることで、左側ロール保持部６８は左右方向に移動可能な構成となっている。開閉カバー１３が開放位置にある場合、左側ロール保持部６８は離間位置にあり、開閉カバー１３が閉塞位置にある場合、左側ロール保持部６８は閉塞位置にある。開閉カバー１３が開放位置から閉塞位置へと、右側面視で反時計回り（矢印Ａ方向）に回転することで、左側ロール保持部６８は離間位置から閉塞位置へと用紙収納部９の内側（矢印Ｂ方向）へ移動可能である。
【００３２】
次に、図２を参照し、上記構成を有する印刷装置１の概略動作について説明する。印刷時には、ＰＣ端末又は携帯電話等の外部機器から、無線通信（有線通信又は赤外線通信でもよい）を介して、印刷装置１に対し印刷データが送信される。その後、図示外のモータの回転を駆動源としてプラテンローラ１４が回転することで、用紙ホルダー６（図４参照）に保持された用紙ロール８（図４参照）から印刷用紙８１が繰り出される。繰り出された印刷用紙８１は、プラテンローラ１４とサーマルヘッド７との圧接部に案内される。サーマルヘッド７は上記印刷データに基づいて、印刷用紙８１に対し所望の態様の印刷を行う。印刷後の印刷用紙８１は排出口１２から筐体２外部へと排出される。使用者は、排出口１２（図１参照）から排出された印刷用紙８１の端部を、固定刃１５を用いて手動で切断する。
【００３３】
次に、図４及び図５を参照し、用紙ロール８を用紙収納部９（図３参照）に収納して固定する方法について説明する。使用者は開閉カバー１３（図３参照）を開放位置に移動させる。その後、使用者は、開放された用紙収納部９の内部に用紙ロール８を載置し、軸孔８Ａの右側に右側ロール保持部６５の基端部を嵌合させる。
【００３４】
使用者は、開放位置にある開閉カバー１３を、右側面視で反時計回り（図３に示す矢印Ａ方向）に閉塞位置へと回転させる。図４に示すように、開閉カバー１３の回転に連動して、左側回転軸２７は右側面視で反時計回り（矢印Ｃ方向）に回転する。ウォームホイール３０は左側回転軸２７の回転に連動して同じ方向（矢印Ｄ方向）に回転する。ウォーム３１は、ウォームホイール３０の回転に連動して、右側面視で時計回り（矢印Ｅ方向）に回転しながら、軸線方向に沿って用紙収納部９（図３参照）の内側（矢印Ｆ方向）へ移動する。ウォーム３１の移動に伴って、左側円板６７も用紙収納部９の内側（矢印Ｆ方向）に向かって移動する。同様に、離間位置にある左側ロール保持部６８も、同じ方向（矢印Ｆ方向）に保持位置へと向かって移動する。
【００３５】
図５に示すように、保持位置へと移動した左側ロール保持部６８は基端部が軸孔８Ａと嵌合する。これにより、用紙ロール８は右側ロール保持部６５及び左側ロール保持部６８によって回転可能に保持される。
【００３６】
次に、図１及び図５を参照し、印刷装置１に外部から衝撃が加わった場合について説明する。上述のように、印刷装置１は使用者が持ち運んで使用できる。そのため、使用者が印刷装置１を地面に落下させてしまう場合、又は固定物にぶつけてしまう場合等があり、印刷装置１には外部から衝撃が加わる。例えば、印刷装置１が底壁４３（図３参照）を真下にして地面に落下させた場合、落下時の衝撃で、用紙ロール８又は用紙ホルダー６などの用紙収納部９の内部にある内部部材には、上方（図５に示す矢印Ｈ方向）に向かう反発力が働く。該内部部材において、印刷用紙８１が巻回された用紙ロール８は、最も重量が大きいため、より大きな反発力を受ける。また、右側板６３は右側底部６１から、左側板６６は左側底部６２から、それぞれ上方に立設しているだけである。つまり、右側板６３及び左側板６６の下端部は、右側底部６１又は左側底部６２によって支持されるが、上端部は他の部材に支持されない。このため、印刷装置１の落下時に、内部部材に上方に向かう反発力が加わる場合、左側板６６及び右側板６３は、それぞれ、下端部を支点に撓む場合がある。この結果、左側板６６には左方向（図５示す矢印Ｇ方向）に荷重が働き、右側板６３は右方向（矢印Ｇ'方向）に荷重が働く。
【００３７】
ここで、印刷装置１が上記のように落下した場合において、本発明に関わる用紙収納部９の左側が発揮する機能について詳しく説明する。ウォーム３１、左側円板６７、及び左側ロール保持部６８が矢印Ｇ方向に移動するには、ウォーム３１から、ウォーム３１と直接噛み合うウォームホイール３０を逆回転させる必要がある。本実施形態における減速比ｉは２．４であり、ウォーム３１からウォームホイール３０を逆回転させるために必要な回転トルクは、ウォームホイール３０からウォーム３１を回転させるために必要な回転トルクよりも、２．４倍大きい。すなわち、落下の衝撃時に、ウォーム３１が自ら矢印Ｇ方向に移動するためには、ウォーム３１からウォームホイール３０をより大きな回転トルクで逆回転する必要がある。従って、印刷装置１に衝撃が加わった場合であっても、ウォーム３１に取り付けられている左側ロール保持部６８は保持位置から移動しにくい。それ故、印刷装置１に衝撃が加わり、左側ロール保持部６８に用紙収納部９（図３参照）の外側（矢印Ｇ方向）へと荷重が作用しても、用紙ロール８は右側ロール保持部６５及び左側ロール保持部６８によって保持されたままとなる。故に、印刷装置１は外部から衝撃が加わった場合であっても、用紙ロール８を用紙収納部９から飛び出しにくくできる。
【００３８】
また、右側ロール保持部６５及び左側ロール保持部６８は、軸孔８Ａに嵌合することで用紙ロール８を保持する。従って、印刷装置１に外部から衝撃が加わった場合であっても、用紙ロール８の半径方向の移動が制限される。この結果、用紙ロール８は用紙収納部９の外側へさらに飛び出しにくくできる。
【００３９】
同様に、印刷装置１が右前角部を真下にした状態で地面に落下する等、地面との衝突時に左側ロール保持部６８に作用する荷重が矢印Ｇ方向側へと向かう場合にも、左側ロール保持部６８は移動しにくい。従って、用紙ロール８は用紙収納部９から外側へ飛び出しにくい。また、印刷装置１が左側壁４２を真下にした状態で地面に落下し、地面との衝突時に用紙ロール８が左側ロール保持部６８に対して矢印Ｇ方向に直接荷重を加える場合であっても、左側ロール保持部６８は移動しにくいので、用紙ロール８を用紙収納部９から飛び出しにくい。
【００４０】
以上説明したように、開放位置から閉塞位置へと向かう場合における開閉カバー１３の回転駆動力は、左側回転軸２７を介して、ウォームホイール３０、ウォーム３１の順に、左側ロール保持部６８へと伝達される。ここで、減速比ｉが２．４であるので、開閉カバー１３の回転は、ウォームホイール３０及びウォーム３１で減速される。従って、ウォーム３１からウォームホイール３０を回転させるために必要な回転トルクは、ウォームホイール３０からウォーム３１を回転させるために必要な回転トルクに対して２．４倍だけ大きい。それ故、印刷装置１に外部から衝撃が加わった場合であっても、左側ロール保持部６８は保持位置から離間位置へと自ら移動しようとしても移動しにくい。その結果、用紙ロール８は保持位置にて保持されたままとなる。故に、印刷装置１は、外部から衝撃が加わった場合であっても、用紙ロール８を用紙収納部９から外側へ飛び出しにくくできる。
【００４１】
また、使用者が開閉カバー１３を開放位置へと回転させるだけで、左側ロール保持部６８は離間位置へと移動する。これにより、使用者の特別な意識を要することなく、用紙ロール８は用紙収納部９に対して着脱可能となる。また、使用者が開閉カバー１３を開放位置から閉塞位置へと回転させるだけで、使用者の特別な意識を要することなく、左側ロール保持部６８は離間位置から保持位置へと移動する。これにより、用紙ロール８は右側ロール保持部６５及び左側ロール保持部６８によって保持される。従って、印刷装置は操作性を向上できる。
【００４２】
また、ウォームホイール３０は、歯３０Ａが螺旋状に形成され、自身の軸線方向がウォーム３１の軸線方向と平行となる状態で、ウォーム３１の歯３１Ａと直接噛み合う。従って、ウォームホイール３０とウォーム３１との間に、他の駆動伝達部材を配置する必要がない。故に、印刷装置１は省スペース化できる。
【００４３】
また、左側ロール保持部６８は、保持位置にて軸孔８Ａに左側から嵌合する。これにより、用紙ロール８の半径方向の移動は制限される。従って、印刷装置１は、外部から衝撃が加わった場合であっても、用紙ロール８をさらに用紙収納部９から外側へ飛び出しにくくできる。
【００４４】
上記実施形態において、左側回転軸２７が「第一支持部」に相当し、左側板６６が「第二支持部」に相当し、左側ロール保持部６８が「ロール保持部」に相当し、歯３０Ａが「歯」に相当し、軸孔８Ａが「軸穴」に相当する。
【００４５】
本発明は、上記実施形態に限定されるものではなく、種々の変更が可能である。上記実施形態では、Ｒ１が２３．５［ｍｍ］、Ｒ２が１０［ｍｍ］であるが、Ｒ２がＲ１よりも小さく、且つウォームホイール３０とウォーム３１とが直接噛み合う範囲で、適宜変更可能である。これにより、減速比ｉが適宜変更できる。
【００４６】
上記実施形態では、開閉カバー１３が回転することで、左側ロール保持部６８だけが左右方向に移動するがこれに限られない。例えば、開閉カバー１３が回転することで、右側ロール保持部６５だけが移動可能な構成であってもよいし、右側ロール保持部６５及び左側ロール保持部６８の両方が左右方向に移動可能な構成であってもよい。
【００４７】
上記実施形態では、用紙ロール８は、軸心部を左右方向に貫通する軸孔８Ａを備えるがこれに限られない。例えば、用紙ロール８は、左右両端部の軸心部にのみ軸穴が設けられ、それぞれの軸穴に、右側ロール保持部６５及び左側ロール保持部６８が嵌合してもよい。
【符号の説明】
【００４８】
１      印刷装置
２      筐体
８      用紙ロール
８Ａ    軸孔
９      用紙収納部
１３    開閉カバー
２７    左側回転軸
３０    ウォームホイール
３０Ａ  歯
３１    ウォーム
６６    左側板
６８    左側ロール保持部
８１    印刷用紙
【図１】
2014162596.tif 000003
【図２】
2014162596.tif 000004
【図３】
2014162596.tif 000005
【図４】
2014162596.tif 000006
【図５】
2014162596.tif 000007